(57)【要約】【課題】光ピックアップを移送する歯車のバックラッシを簡単な構造で抑制する。【解決手段】光ピックアップ本体１６が取り付けられたホルダ１８を、保持部材１９，２０によってガイドシャフト１４，１５に摺動自在に保持し、さらにホルダ１８に、保持部材２０，２０を収容する支持部材２１を取り付け、この支持部材２１に対して、側辺にラック２２を備えたラック部２３をガイドシャフト１５の軸方向及び軸と交わる方向に所定距離移動可能に係合し、支持部材２１とラック部２３を、ラック部２３をラック２２が設けられた側辺方向に所定弾性力で変位させる引っ張りバネ３１を有する付勢手段で付勢することで、ラック２２とピニオン歯車２４間のバックラッシを抑制する。【選択図】      図５
2004178766.tif 000002
【特許請求の範囲】
【請求項１】
ディスク媒体に対して情報の記録あるいは再生を行なう光ピックアップ本体が取り付けられたホルダと、
前記ホルダを前記ディスク媒体の径方向に摺動自在に支持するガイドシャフトを有した案内手段と、
前記ホルダに固定された支持部材と、
前記ガイドシャフトの軸方向に配設されたラックを有し、前記支持部材に対して前記ガイドシャフトの軸方向及び軸と交わる方向にそれぞれ所定距離摺動自在となるように係合されたラック部材と、
前記ラック部材のラックと噛合してモータの回転を当該ラックに伝達する歯車と、
前記ラック部材をそのラックと前記歯車が所定弾性力で噛合するように前記支持部材に対して付勢する付勢手段と、
を具備したことを特徴とする光ピックアップの移送装置。
【請求項２】
前記支持部材と前記ラック部材は、そのいずれか一方の部材にボスが設けられ、他方の部材にテーパ部が設けられて係合されており、前記付勢手段によって、前記ボスと前記テーパ部が当接して、前記ラック部材が前記歯車に所定弾性力で係合するように付勢されるように構成されていることを特徴とする請求項１記載の光ピックアップの移送装置。
【請求項３】
ディスク媒体に対して情報の記録あるいは再生を行なう光ピックアップ本体が取り付けられたホルダと、
一対のガイドシャフトと、
前記ホルダに設けられ前記一対のガイドシャフトとそれぞれ係合して当該ホルダをガイドシャフトに対して摺動自在に保持する保持部材と、
前記一対のガイドシャフトの一方と係合する保持部材を収容するように構成されて前記ホルダに固定された支持部材と、
前記ガイドシャフトの軸方向に配設されたラックを有し、前記支持部材に対して前記ガイドシャフトの軸方向及び軸と交わる方向にそれぞれ所定距離摺動自在となるように係合されたラック部材と、
前記ラック部材のラックと噛合してモータの回転を当該ラックに伝達する歯車と、
前記ラック部材をそのラックと前記歯車が所定弾性力で噛合するように前記支持部材に対して付勢する付勢手段と、
を具備したことを特徴とする光ピックアップの移送装置。
【請求項４】
前記支持部材と前記ラック部材は、そのいずれか一方の部材にボスが設けられ、他方の部材にテーパ部が設けられて係合されており、前記付勢手段によって、前記ボスと前記テーパ部が当接して、前記ラック部材が前記歯車に所定弾性力で係合するように付勢されるように構成されていることを特徴とする請求項３記載の光ピックアップの移送装置。
【請求項５】
前記支持部材に収容される保持部材は、前記ガイドシャフトの軸方向に所定距離を置いて複数箇所で前記ホルダを保持するものであることを特徴とする請求項３に記載の光ピックアップの移送装置。
【発明の詳細な説明】
【０００１】
【発明の属する技術分野】
本発明は、ＣＤ（Ｃｏｍｐａｃｔ  Ｄｉｓｋ）プレーヤ、ＤＶＤ（Ｄｉｇｉｔａｌ  Ｖｅｒｓａｔｉｌｅ  Ｄｉｓｋ）レコーダ等のメディアディスク機器に適用される光ピックアップの移送装置に関し、特にモータの回転をギアを介して光ピックアップに移送力として伝達する駆動手段のバックラッシを抑圧して、光ピックアップの移送を精度よく行なうことができるようにした光ピックアップの移送装置に関する。
【０００２】
【従来の技術】
昨今の、メディアディスク機器においては、ＣＤ−ＲＯＭ（Ｃｏｍｐａｃｔ  Ｄｉｓｋ−Ｒｅａｄ  Ｏｎｌｙ  Ｍｅｍｏｒｙ）に対応するばかりでなく、ＣＤ−Ｒ（Ｃｏｍｐａｃｔ  Ｄｉｓｋ−Ｒｅｃｏｒｄａｂｌｅ）、ＣＤ−ＲＷ（Ｃｏｍｐａｃｔ  Ｄｉｓｋ−ＲｅＷｒｉｔｂｌｅ）、さらにはＤＶＤ（Ｄｉｇｉｔａｌ  Ｖｅｒｓａｔｉｌｅ  Ｄｉｓｋ）にも対応可能ないわゆるマルチドライブの機器が広く普及してきており、デスクトップパソコンの外付け機器として利用されるばかりではなく、ノートパソコンの内蔵機器としても適用されるようになってきている。
【０００３】
したがって、外形寸法も可能な限り小型化、薄型化が要求されてきており、内部の機構も簡素なものとなりつつある。しかしながら、これらメディアディスク機器においては、光ピックアップによって記録媒体であるディスクから情報を読取りあるいは書き込み動作を行なうものであり、光ピックアップの駆動については、相応の精度を要求される。
【０００４】
小型化、薄型化を推進することは、精度を犠牲にするということに繋がるものであり、機構部分については、小型化、薄型化という点において必ずしも満足のできる開発がなされていないのが実状である。
特に、光ピックアップを、ディスクに対して移送案内する移送装置については、モータの回転をギアによって光ピックアップに伝達して移送力を得るように構成するのが通常であり、ギアのバックラッシが移送の精度を保つ上で障害になっており、バックラッシをいかに抑圧するかが重要な課題の一つになっている。
【０００５】
すなわち、従来の光ピックアップ移送装置としては、例えば、特許文献１に記載のように、ラックを２枚重ねにして互いに長手逆方向に弾性力で付勢するように構成することで、ピニオン歯車との噛合が良好になるように構成したものがある。
また、特許文献２には、ピニオンをバネでラックに押圧するように付勢した例が示されている。
前者の場合、ラックを２枚重ねにする必要があるため、構成が複雑になる。また、後者の場合、ピニオンをバネでラックに押圧するようにした構成であり、ピニオンの支持構造が複雑で装置が大掛かりなものとならざるを得ないという問題がある。
【０００６】
【特許文献１】
特開２００２−２１６４４２号公報（第３〜４頁［００１６］、図２）
【特許文献２】
特開平１１−３５３８２４号公報（第５頁［００４１］、図４）
【０００７】
【発明が解決しようとする課題】
以上のように、従来の光ピックアップ移送装置においては、ギアのバックラッシを抑制する機構が複雑で、装置が大掛かりなものになるという問題を有していた。
本発明は、以上の点に対処してなされたものであり、光ピックアップのホルダに、ラック部材を、当該ラック部材がピニオン歯車に所定弾性力で押圧されるように付勢手段を介して係合させるように構成することで、簡単な構造でバックラッシを抑制して安定な移送力が得られる光ピックアップの移送装置を提供することを目的とする。
【０００８】
【課題を解決するための手段】
本発明の光ピックアップの移送装置は、ディスク媒体に対して情報の記録あるいは再生を行なう光ピックアップ本体が取り付けられたホルダと、
前記ホルダを前記ディスク媒体の径方向に摺動自在に支持するガイドシャフトを有した案内手段と、前記ホルダに固定された支持部材と、前記ガイドシャフトの軸方向に配設されたラックを有し、前記支持部材に対して前記ガイドシャフトの軸方向及び軸と交わる方向にそれぞれ所定距離摺動自在となるように係合されたラック部材と、前記ラック部材のラックと噛合してモータの回転を当該ラックに伝達する歯車と、前記ラック部材をそのラックと前記歯車が所定弾性力で噛合するように前記支持部材に対して付勢する付勢手段と、を具備したことを特徴とする。
【０００９】
本発明によれば、構造簡単にして精度よく光ピックアップを移送させることができるものである。
また、本発明の光ピックアップの移送装置は、ディスク媒体に対して情報の記録あるいは再生を行なう光ピックアップ本体が取り付けられたホルダと、一対のガイドシャフトと、前記ホルダに設けられ前記一対のガイドシャフトとそれぞれ係合して当該ホルダをガイドシャフトに対して摺動自在に保持する保持部材と、前記一対のガイドシャフトの一方と係合する保持部材を収容するように構成されて前記ホルダに固定された支持部材と、前記ガイドシャフトの軸方向に配設されたラックを有し、前記支持部材に対して前記ガイドシャフトの軸方向及び軸と交わる方向にそれぞれ所定距離摺動自在となるように係合されたラック部材と、前記ラック部材のラックと噛合してモータの回転を当該ラックに伝達する歯車と、前記ラック部材をそのラックと前記歯車が所定弾性力で噛合するように前記支持部材に対して付勢する付勢手段と、を具備したことを特徴とする。
【００１０】
本発明によれば、構造簡単にして精度よく光ピックアップを移送させることができるものである。
【００１１】
【発明の実施の形態】
以下、図面を参照しながら本発明の実施の形態を詳細に説明する。
図１は、本発明の光ピックアップの移送装置の一実施の形態を備えたメディアディスク機器１０を示す平面図である。また、図２は、図１に示す機器１０を裏側から見た裏面図である。さらに、図３は、図１から光ピックアップを主体に抽出して示す図である。
【００１２】
図１において、１１は図示しないディスクが装着されるターンテーブルであり、シャーシ１２に取り付けられた図示しないディスク駆動モータの回転軸に固定されている。
１３は光ピックアップであり、一対のガイドシャフト１４，１５に摺動自在に案内される。
図３も参照してさらに説明すると、光ピックアップ１３は、光ピックアップ本体１６と、この光ピックアップ本体１６が取り付けられた印刷配線基板１７と、印刷配線基板１７が取り付けられるホルダ１８を有し、ホルダ１８に、ガイドシャフト１４，１５に摺動自在に保持される保持部材１９，２０が設けられている。
【００１３】
ガイドシャフト１４に係合する保持部材１９は単一のもので構成されるが、ガイドシャフト１５に係合する保持部材２０は、ガイドシャフト１５の軸方向に所定間隔をおいて２個設けられている。
保持部材２０，２０は、ホルダ１８に固定された支持部材２１内に収容されている。支持部材２１には、外方に向けてラック２２が形成されたラック部２３が後述する付勢手段を介して移動自在に係合されており、ラック２２にはピニオン歯車２４が噛合されている。
【００１４】
ピニオン歯車２４の回転によってラック２２に、ガイドシャフト１４，１５の軸方向の力が伝えられることによって、光ピックアップ１３がガイドシャフト１４，１５に案内されつつ移送される。
ピニオン歯車２４は、シャーシ１２の折り曲げ部に取り付けられたフィードモータ２５によって駆動される。
すなわち、図２に示すように、フィードモータ２５の回転軸には、ウォームギア２６が設けられ、このウオームギア２６は、歯車２７を駆動する。歯車２７には、ピニオン歯車２３が同軸に一体的に形成されており、結局、フィードモータ２５によって歯車２７を介してピニオン歯車２３が駆動され光ピックアップ１３が移送されることになる。なお、歯車２７は、平歯歯車あるいははすば歯車である。
【００１５】
図１は、光ピックアップ１３が図示しないディスクの最も内周側に位置した状態を示し、光ピックアップ１３はこの状態から、フィードモータ２５の一方の回転によってターンテーブル１１から離れる方向に移送され、他方の回転によってターンテーブル１１に近づく方向に移送されることになる。
【００１６】
なお、図３において、印刷配線基板１７には、コネクタ２８が設けられており、コネクタ２８にケーブル２９を結合して、光ピックアップ本体１６と信号のやりとりが行なわれる。
次に、本発明の光ピックアップの移送装置の一実施の形態について詳細に説明する。
図４は、図３における支持部材２１を斜線にて強調して示すものであり、図５は図４を裏面側から見た図で、特にラック部２２を強調して示すものである。
なお、図４、図５において、ガイドシャフト１５は説明の便宜上省略してある。
図４において、斜線で示す部分が支持部材２１であり、樹脂によって成形され、保持部材２０，２０が収容される箱形状の収容部を長手方向中央部分に有している。支持部材２１は、保持部材２０，２０の収容部の長手方向両側が略板状に形成されており、ネジ３０によってホルダ１８に固定されている。
【００１７】
また、支持部材２１は、長手方向の両端部にそれぞれボス２１ａ，２１ｂが形成され、さらに保持部材２０の収容位置に近接して後述する引っ張りバネを掛けるための突起２１ｃが設けられている。
図５は、支持部材２１にラック部２３が組み込まれた状態を示すもので、図中斜線で示す部分が支持部材２１である。
ラック部２３は樹脂で成形され、長手方向の一方の縁にラック２２が一体的に形成されており、両端部に開口が形成され、その縁に支持部材２１のボス２１ａ，２１ｂの先端が係合される係合部２３ａ，２３ｂが形成されている。開口のそれぞれ一端は、支持部材２１のボス２１ａ，２１ｂが挿入されるために幅広に形成され、開口の他端には、それぞれテーパ部２３ｃ，２３ｄが形成されている。さらにラック部２３の長手方向中間部には、支持部材２１の突起２１ｃとの間に引っ張りバネ３１を懸架するためのフック２３ｅが形成されている。さらにまたラック部２３には、厚み方向に変位可能な弾性片２３ｆが形成されており、この弾性片２３ｆはラック部２３が支持部材２１から外れないようにするストッパの機能を有する。
【００１８】
以上のように構成された支持部材２１に対して、ラック部２３を組み込むには、まずラック部２３の弾性片２３ｆを厚み方向に変位させて、開口の幅広部から支持部材２１のボス２１ａ，２１ｂをそれぞれ挿入させて、その先端を係合部２３ａ，２３ｂに係合させる。これによって、ラック部２３は、支持部部材２１に前記開口の範囲で移動自在に支持されることになる。ラック部２３が、その開口の幅広部が支持部材２１のボス２１ａ，２１ｂと近づく方向に移動する際には、支持部材２１の突起２１ｃの先端がラック部２３の弾性片２３ｆに当接して移動が規制されることになり、ボス２１ａ，２１ｂが開口の幅広部まで到達することはない。すなわち、通常動作状態では、ラック部２３が支持部材２１から外れることはない。
【００１９】
ラック部２３が支持部材２１に係合された状態で、引っ張りバネ３１を支持部材２１の突起２１ｃと、ラック部２３のフック２３ｅ間に懸架すると、その弾性力によってラック部２３は、テーパ部２３ｃ，２３ｄが支持部材２１のボス２１ａ，２１ｂに当接するように付勢される。
【００２０】
このとき、テーパ部２３ｃ，２３ｄによって、ラック部２３は、ラック２２方向にシフトする力を受け、ラック２２がピニオン歯車２４に、引っ張りバネ３１の弾性力に応じた力で押圧されることになる。
これによって、ラック２２とピニオン歯車２４との間のバックラッシは効率よく抑制されることになる。
図６は、支持部材２１とラック部２３のみを取り出して示すもので、（ａ）が支持部材２１、（ｂ）がラック部２３である。図６（ａ）において斜線で示す面がラック部２３と対向する面であり中間部に保持部材２０，２０が収容される開口が設けられている。支持部材２１には、長手方向端部にそれぞれ２個ずつ、ラック部２３と対向する面から面と垂直方向に突出する突部２１ｄが設けられており、この突部２１ｄによってラック部２３と接するように構成されて、ラック部２３が容易にかつ確実に摺動するようにしている。
【００２１】
図６（ｂ）に示すラック部２３は、樹脂で一体成形され、両端部の２つの開口の他に、中間部の引っ張りバネ３１が配設される部分も開口状態に成形されている。
以上述べたように、本発明の光ピックアップの移送装置は、光ピックアップ本体１６が取り付けられたホルダに、支持部材２１を固定し、この支持部材に対して、ラックが形成されたラック部２３を、当該ラックが、ピニオン歯車２４に所定圧力で噛合するように付勢手段によって付勢するようにしたので、ピニオン歯車２４とラック２２間のバックラッシを簡単な構造で確実に抑制することができ、光ピックアップ１３の移送が安定に実行できるようになるものである。
【００２２】
【発明の効果】
以上のように、本発明によれば、ラックを備えたラック部を、光ピックアップが固定されたホルダに取り付けられた支持部材に対して、付勢手段を介して係合させ、弾性付勢手段によってラックをピニオン歯車に所定の弾性力で押圧させるように構成したので、ラックとピニオン歯車間のバックラッシを簡単な構造で確実に抑制でき、光ピックアップを精度よく移送させることができるものである。
【図面の簡単な説明】
【図１】本発明に係る、光ピックアップの移送装置を搭載した機器を示す平面図。
【図２】図１に示す機器を裏側から見た裏面図。
【図３】図１に示す装置の要部の構成を示す図。
【図４】図１に示す装置の他の要部の構成を説明するための図。
【図５】図１に示す装置のさらに他の要部の構成を声明するための図。
【図６】本発明の要部の構成を説明するための図。
【符号の説明】
１１…ターンテーブル
１２…シャーシ
１３…光ピックアップ
１４，１５…ガイドシャフト
１６…光ピックアップ本体
１７…印刷配線基板
１８…ホルダ
１９，２０…保持部材
２１…支持部材
２２…ラック
２３…ラック部
２４…ピニオン歯車
２５…フィードモータ
２６…ウォーム歯車
２７…歯車
３１…引っ張りバネ
【図１】
2004178766.tif 000003
【図２】
2004178766.tif 000004
【図３】
2004178766.tif 000005
【図４】
2004178766.tif 000006
【図５】
2004178766.tif 000007
【図６】
2004178766.tif 000008